(57)【特許請求の範囲】
【請求項１】
原稿の画像を読み取る読取手段と、前記読み取られた画像を記憶する記憶手段と、前記記憶された画像を出力する画像出力手段と、を備えた画像形成装置において、
操作画面上でジョブを設定する設定手段と、前記設定手段で設定されたジョブを実行すべく、前記画像形成装置の動作を制御する制御手段と、を備え、
前記設定手段は、前記画像形成装置が第１のジョブを実行中に第２のジョブの設定を受付け、当該第１のジョブと当該第２のジョブとで同一のリソースが設定された場合には、当該第２のジョブの設定を解除するか、若しくは当該第２のジョブの設定に基づく前記読取手段による原稿の読み取り開始動作のみを開始して、当該第２のジョブが実行可能となるまで待機するかを選択する選択手段を含むことを特徴とする画像形成装置。
【請求項２】
原稿の画像を読み取る読取手段と、前記読み取られた画像を記憶する記憶手段と、前記記憶された画像を出力する画像出力手段と、を備え、各々が画像を出力する画像出力手段を備えた他の１又は複数の画像形成装置と伝送路を介して接続可能であり、かつ、前記読取手段で読み取った画像を自機の画像出力手段若しくは前記他の画像形成装置により出力可能な画像形成装置において、
操作画面上でジョブを設定する設定手段と、前記設定手段で設定されたジョブを実行すべく、前記自機の画像形成装置の動作を制御するとともに、前記読取手段で読み取った画像を前記他の画像形成装置に転送して画像出力させる制御手段と、を備え、
前記設定手段は、前記自機若しくは他の画像形成装置が第１のジョブを実行中に第２のジョブの設定を受付け、当該第１のジョブと当該第２のジョブとで同一のリソースが設定された場合には、当該第２のジョブの設定を解除するか、若しくは当該第２のジョブの設定に基づく前記読取手段による原稿の読み取り開始動作のみを開始して、当該第２のジョブが実行可能となるまで待機するかを選択する選択手段を含むことを特徴とする画像形成装置。
【請求項３】
前記リソースは、両面機能若しくはステープラー機能であることを特徴とする請求項１又は２記載の画像形成装置。
【発明の詳細な説明】
【０００１】
【発明の属する技術分野】
この発明は、画像形成装置に関し、詳細には、第１のジョブの実行中に第２のジョブの設定操作が可能な画像形成装置に関する。
【０００２】
【従来の技術】
従来、複写機においてコピー動作を行わせる場合には、各種の機能の設定を行った後に、例えば、コピーキー等を押下してコピー動作を開始させている。１回のコピーキーの押下によって実行される一連のコピー動作をジョブと呼ぶ。従来の複写機では、各種の機能の設定は、コピー動作の待機中に限り、可能であったた。そのため、コピーを必要としたときに、複写機が他のジョブを実行していた場合は、実行中のジョブを待たなければならなかった。動作中のコピーの原稿やコピー枚数が少ない場合には待ち時間は少ないが、ＡＤＦやソーター等が付いている複写機においては、大量にコピーをとっている場合には、待ち時間がかなり長くなってしまうという問題があった。
【０００３】
このような待ち時間を少なくするために、例えば、特開平８−５５２２８号公報に記載された「画像形成装置」では、第１のジョブの動作中にも第２のジョブに対する機能設定および実行指示を行うことが可能な構成として、第１のジョブの記録動作と第２の読取動作を並行して実行させることを可能としている。さらに、かかる画像形成装置では、第１のジョブの画像形成中に、第２のジョブの機能設定をする際には、第２のジョブの操作画面で第１のジョブのセット枚数やコピー枚数を表示可能となっている。
【０００４】
【発明が解決しようとする課題】
しかしながら、上記特開平８−５５２２８号公報に記載された「画像形成装置」にあっては、オペレーターが第２のジョブを操作中に第１のジョブの実行状態を知ることが可能であるが、第１のジョブの設定状態（どの機能が使用されているか）や警告状態（ジョブの中断理由）を把握しにくいという問題がある。
【０００５】
本発明は、上記課題に鑑みてなされたものであり、オペレータが操作操作画面で第２のジョブを設定中に、第１のジョブの設定状態や警告状態を通知し、ジョブの実行を妨げないようにした画像形成装置を提供することを目的とする。
【０００６】
【課題を解決するための手段】
上記課題を解決するために、請求項１に係る発明は、原稿の画像を読み取る読取手段と、前記読み取られた画像を記憶する記憶手段と、前記記憶された画像を出力する画像出力手段と、を備えた画像形成装置において、操作画面上でジョブを設定する設定手段と、前記設定手段で設定されたジョブを実行すべく、前記画像形成装置の動作を制御する制御手段と、を備え、前記設定手段は、前記画像形成装置が第１のジョブを実行中に第２のジョブの設定を受付け、当該第１のジョブと当該第２のジョブとで同一のリソースが設定された場合には、当該第２のジョブの設定を解除するか、若しくは当該第２のジョブの設定に基づく前記読取手段による原稿の読み取り開始動作のみを開始して、当該第２のジョブが実行可能となるまで待機するかを選択する選択手段を含むものである。
【０００７】
また、請求項２に係る発明は、原稿の画像を読み取る読取手段と、前記読み取られた画像を記憶する記憶手段と、前記記憶された画像を出力する画像出力手段と、を備え、各々が画像を出力する画像出力手段を備えた他の１又は複数の画像形成装置と伝送路を介して接続可能であり、かつ、前記読取手段で読み取った画像を自機の画像出力手段若しくは前記他の画像形成装置により出力可能な画像形成装置において、操作画面上でジョブを設定する設定手段と、前記設定手段で設定されたジョブを実行すべく、前記自機の画像形成装置の動作を制御するとともに、前記読取手段で読み取った画像を前記他の画像形成装置に転送して画像出力させる制御手段と、を備え、前記設定手段は、前記自機若しくは他の画像形成装置が第１のジョブを実行中に第２のジョブの設定を受付け、当該第１のジョブと当該第２のジョブとで同一のリソースが設定された場合には、当該第２のジョブの設定を解除するか、若しくは当該第２のジョブの設定に基づく前記読取手段による原稿の読み取り開始動作のみを開始して、当該第２のジョブが実行可能となるまで待機するかを選択する選択手段を含むものである。
【０００８】
また、請求項３に係る発明は、請求項１又は２記載の画像形成装置において、前記リソースは、両面機能若しくはステープラー機能であることとした。
【００１４】
【発明の実施の形態】
以下、添付図面を参照して、本発明の好適な実施の形態を詳細に説明する。
【００１５】
［画像形成装置の構成］、［画像形成装置の操作部］、［画像形成装置の制御系（第１の構成例）、（第２の構成例）］、［画像形成装置の画像処理部］、［コピーネットワークシステム］、［ネットワークコピー機のハード構成］、［用語の説明・定義］、［動作例（動作例１）、（動作例２）、（動作例３）］の順に説明を行う。
【００１６】
［画像形成装置の構成］
図１は、この発明の実施の形態１に係る画像形成装置の構成図である。ＡＤＦ（自動原稿送り装置）１０１の原稿台１０２上に原稿画像面を上にして置かれた原稿束（図示せず）は、後述する操作部２０１上のプリントキー２０２が押下されると一番下の原稿から給送ローラ１０３及び給送ベルト１０４によってコンタクトガラス１０５上の所定の原稿読取位置に給送される。
【００１７】
コンタクトガラス１０５上に給送された原稿は、読み取りユニット１０６によって原稿画像が読み取られた後、給送ベルト１０４及び排送ローラ１０７によって排出される。更に、原稿セット検知センサ１０８にて原稿台１０２上に次の原稿が有ると検知された場合、次の原稿は、前の原稿と同様な動作を繰り返す。尚、給送ローラ１０３、給送ベルト１０４及び排送ローラ１０７は、図示せぬ搬送モータによって駆動される。
【００１８】
また、第１トレイ１０９、第２トレイ１１０及び第３トレイ１１１に積載された転写紙は、各々、第１給紙部１１２、第２給紙部１１３及び第３給紙部１１４によって給紙され、縦搬送ユニット１１５によって感光体１１６に当接する位置まで搬送される。読み取りユニット１０６にて読み取られた原稿画像は画像データとして、書き込みユニット１１７からのレーザ（図示せず）によって感光体１１６に書き込まれ、現像ユニット１１８によってトナー像として可視化される。
【００１９】
次に、転写紙は、搬送ベルト１１９によって感光体１１６の回転と等速で搬送されながら、感光体１１６上のトナー像を転写される。転写紙に転写されたトナー像は、定着ユニット１２０で画像として定着させられる。続いて、画像を定着（以下、作像と記す）された転写紙は、排紙ユニット１２１によって後処理装置であるフィニシャ１２２に排出される。
【００２０】
後処理装置のフィニシャ１２２は、装置本体の排紙ユニット１２１によって搬送された転写紙を、排紙トレイ１２６方向やステイプル処理部（図面左下）方向に導くことができる。このときの導き方は、切り換え板１２４を使用して行われる。切り換え板１２４を上に切り替えることにより、排紙ローラ１２３及び搬送ローラユニット１３２を経由して通常の排紙トレイ１２６側に排紙することができる。また、切り換え板１２４を下方向に切り替えることで、搬送ローラ１２５、１２７を経由して、ステイプル台１２８に搬送することができる。
【００２１】
ステイプル台１２８に積載された転写紙は、一枚排紙される毎に紙揃え用のジョガー１２９によって紙端面が揃えられ、一部のコピー完了と共にステープラ１３０によって綴じられる。ステープラ１３０で綴じられた転写紙群は自重によってステイプル完了排紙トレイ１３１に収納される。
【００２２】
一方、通常の排紙トレイ１２６は前後に移動可能な排紙トレイである。前後に移動可能な排紙トレイ１２６は、原稿毎、或いは、後述する画像メモリ５０１によってソーティングされたコピー一部毎に、前後に移動し、簡易的に排出されてくるコピー紙を仕分けるものである。
【００２３】
転写紙の両面に画像を作像する場合は、第１トレイ１０９、第２トレイ１１０及び第３トレイ１１１から給紙され作像された転写紙を排紙トレイ１２６側に導かないで、経路切り換えの為の分岐爪１３３を上側にセットすることで、一旦、両面給紙ユニット１３４にストックする。
【００２４】
その後、両面給紙ユニット１３４にストックされた転写紙は、両面給紙ユニット１３４から再び給紙され、感光体１１６に形成されたトナー画像を転写された後、経路切り換えの為の分岐爪１３３を下側にセットすることにより、排紙トレイ１２６に導かれる。この様に両面給紙ユニット１３４は、転写紙の両面に作像する場合に使用される。
【００２５】
感光体１１６、搬送ベルト１１９、定着ユニット１２０、排紙ユニット１２１及び現像ユニット１１８は、メインモータ（図示せず）によって駆動され、第１給紙部１１２、第２給紙部１１３及び第３給紙部１１４は、メインモータの駆動を各々、第１給紙クラッチ（図示せず）、第２給紙クラッチ（図示せず）及び第３給紙クラッチ（図示せず）によって伝達することにより駆動される。縦搬送ユニット１１５は、メインモータの駆動を中間クラッチ（図示せず）によって伝達することにより駆動される。
【００２６】
次に、画像読み取りユニット１０６における画像の読み取り動作、及び、書き込みユニット１１７における画像の書き込み動作、即ち、画像を記録面上に潜像形成するまでの動作について説明する。ここで潜像とは、感光体面上に画像を光り情報に変換して照射することにより生じる電位分布である。
【００２７】
先ず、読み取りユニット１０６は、原稿を載置するコンタクトガラス１０５と、光学走査系とで構成されている。光学走査系は、露光ランプ１３５、第１ミラー１３６、レンズ１３７、ＣＣＤイメージセンサ１３８、第２ミラー１３９及び第３ミラー１４０等で構成されている。露光ランプ１３５及び第１ミラー１３６は、第１キャリッジ（図示せず）上に固定され、第２ミラー１３９及び第３ミラー１４０は、第２キャリッジ（図示せず）上に固定されている。原稿画像を読み取るときには、光路長が変わらないように、第１キャリッジと第２キャリッジとが２対１の相対速度で機械的に走査される。この光学走査系は、スキャナ駆動モータ（図示せず）にて駆動される。
【００２８】
また、原稿画像は、ＣＣＤイメージセンサ１３８によって読み取られ、電気信号に変換されて処理される。レンズ１３７及びＣＣＤイメージセンサ１３８を左右方向（図１において）に移動させることにより、画像倍率が変わる。即ち、指定された倍率に対応してレンズ１３７及びＣＣＤイメージセンサ１３８の左右方向に位置が設定される。
【００２９】
書き込みユニット１１７は、レーザ出力ユニット１４１、結像レンズ１４２及びミラー１４３で構成され、レーザ出力ユニット１４１の内部には、レーザ光源であるレーザダイオード（図示せず）及びモータ（図示せず）によって高速で定速回転する回転多面鏡（以下、ポリゴンミラーと記し、図示せず）が備わっている。
【００３０】
レーザ出力ユニット１４１により照射されるレーザ光は、定速回転するポリゴンミラーで偏光され、結像レンズ１４２を通り、ミラー１４３で折り返され、感光体１１６の面上に集光結像する。
【００３１】
偏光されたレーザ光は感光体１１６が回転する方向と直交する方向（主走査方向）に露光走査され、後述する画像処理ユニット４０２のセレクタ５０２（図５参照）より出力された画像信号のライン単位の記録を行う。感光体１１６の回転速度と記録密度に対応した所定の周期で主走査を繰り返すことによって、感光体１１６の面上に画像（静電潜像）が形成される。
【００３２】
上述のように、書き込みユニット１１７から出力されるレーザ光が、感光体１１６に照射される。感光体１１６の一端近傍のレーザビームを照射する位置に、主走査同期信号を発生するビームセンサ（図示せず）が配置されている。この主走査同期信号をもとに主走査方向の画像記録開始タイミングの制御、及び、後述する画像信号の入出力を行うための制御信号の生成を行う。
【００３３】
［操作部の構成］
次に、図２および図３を参照して、ユーザに対する表示、並びにユーザからの機能設定入力制御を行う操作部２０１の構成について説明する。図２は、操作部２０１を示す図である。図２に示す如く、操作部２０１には、スタートキーであるプリントキー２０２、クリア／ストップキー２０３、テンキー２０４、液晶タッチパネル２０５、初期設定キー２０７およびモードクリアキー２０８、割り込みキー２０９がある。尚、液晶タッチパネル２０５は、部数及び画像形成装置の状態を示す各種メッセージの表示や、更に各種情報の入力等に使用される。
【００３４】
本実施の形態では、液晶タッチパネル２０５としてドット表示器を使用しているため、そのときの最適な表示をグラフィカルに行うことができる。尚、この実施の形態では、液晶タッチパネル２０５をドット表示器を使用するが特にこれに限定されるものではない。
【００３５】
また、図３は、操作部２０１の液晶タッチパネル２０５の表示画面例を示した説明図である。オペレータが液晶タッチパネル２０５に表示されたキーにタッチする事で、選択された機能を示すキーが黒く反転する。また、機能の詳細を指定しなければならない場合（例えば変倍であれは変倍値等）は、キーにタッチする事で、詳細機能の設定画面が表示される。
【００３６】
また、図３において、画面左上は、「コピーできます」、「お待ちください」等のメッセージを表示するメッセージエリア、その右側には、セットした枚数を表示するコピー枚数表示部、その下の画像濃度を自動的に調整する自動濃度キー、転写紙を自動的に選択する自動用紙選択キー、コピーを一部ずつページ順にそろえる処理を指定するソートキー、コピーをページ毎に仕分けする処理を指定するスタックキー、ソート処理されたものを一部ずつ綴じる処理を指定するステープルキー、倍率を等倍にセットする等倍キー、拡大／縮小倍率をセットする変倍キー、両面モードを設定する両面キー、とじ代モード等を設定する消去／移動キー、スタンプや日付やページ等の印字を設定する印字キーである。同図においては、選択されているモードはキーが斜線で表示されている。
【００３７】
［画像形成装置の制御系］
次に、図４及び図５を参照して、上記画像形成装置の制御系について詳細に説明する。
【００３８】
（第１の構成例）
図４は上記画像形成装置の制御系を示し、図示の如く、画像形成装置全体を制御するメインコントローラ４０１を中心に各部が配置されている。メインコントローラ４０１には、システムバスを介して、画像読み取り部４０２，画像書き込み部４０３，メモリユニット４０４，ＣＳＳ４０７，時計４０８が接続され、また、システムコントローラ４０１には、直接、利用者制限機器４０５，人体検知センサ４０６、操作部２０１が接続されている。そして、画像読み取り部４０２、画像書き込み部４０３，メモリユニット４０４は、画像データバスにより互いに接続されている。
【００３９】
上記メモリユニット４０４は、圧縮ブロック、ＤＲＡＭブロック、ＤＭＡブロックからなる。メモリユニット４０４内のＤＲＡＭブロックは、画像読みとり部４０２から読みとった画像信号を記憶するためのもので、システムコントローラー４０７からの要求に応じて、画像書き込み部４０３に保存されている画像データを転送することができる。また、圧縮ブロックは、ＭＨ、ＭＲ、ＭＭＲ方式などの圧縮機能を具備しており、一旦読みとった画像を圧縮し、メモリ（ＤＲＡＭ）の使用効率の向上を図ることができる。また、画像書き込み部４０３からの読み出すアドレスとその方向を変えることにより画像の回転を実現している。尚、、このメモリユニット４０４は、通常のコピー機能を実現することだけを考えれば、必要とはならない。
【００４０】
上記時計４０４は、ある特定の時間になったら、機械をブートしたり、シャットダウンするようなウィークリータイマー機能を実現する場合のみ必要である。また、人体検知センサ４０６は、予熱モード時に機械の前にユーザを近づいてきたときに自動的に予熱モードを解除する機能を実現する場合のみ必要である。ＣＳＳ４０７は、遠隔診断、すなわち、機械のエラーが発生した場合は自動的にサービスセンターに通報したり、機械の実行状態／使用状態を遠隔地からモニターする機能を有する。これらは、上記機能が必要な場合のみ装着されればよい。
【００４１】
（第２の構成例）
図５は、画像形成装置の制御系の他の構成例を示す図である。上記した第１の構成例（図４）では、システムコントローラ４０１のＣＰＵが、画像読みとり部４０２、画像書き込み部４０３、メモリユニット４０４、ＣＳＳ４０７の制御を行う中央制御方式であるが、本発明はこれに限られるものではなく、例えば、図５に示す如く、画像読みとり部４０２、画像書き込み部４０３、メモリユニット４０４が夫々ＣＰＵを備え、システムコントローラーから各コントローラへのコマンドを制御信号線で伝達する分散制御方式としても良い。尚、画像形成装置の制御系の構成は、上記構成例１及び２に限られるものではなく、他の構成としても良い。
【００４２】
［画像形成装置の画像処理部（ＩＰＵ）の構成］
図６は、本発明に係る画像処理部（画像読みとり部４０２と画像書き込み部４０３）の構成を示す図である。以下、図６を参照して画像処理部の構成を説明する。まず、露光ランプ５１からの照射光は原稿面を照射し、結像レンズ（図示せず）により読み取りユニット１０６のＣＣＤイメージセンサに結像される。読み取りユニット１０６のＣＣＤイメージセンサ１３８は、受光した原稿像を光電変換して画像データ（アナログ電気信号）を生成し、この画像データは、Ａ／Ｄコンバータ５０３によってデジタル信号に変換され、そして、シェーディング補正回路５０４でシェーディング補正が施された後、ＭＴＦ・γ補正回路５０５でＭＴＦ補正・γ補正処理等が施される。
【００４３】
セレクタ５０２は、ＭＴＦ・γ補正回路５０５から第１印字合成部５０６を介して入力した画像データを、第２印字合成部５０７を介して変倍回路５０８へ、或いは、画像メモリコントローラ５１０へ、切り替えて供給するものであり、変倍回路５０８を経由した画像データは変倍率に合わせて拡大縮小され、書き込みユニット１１７に送られる。
【００４４】
一方、メモリコントローラ５１０とセレクタ５０２の間は、双方向に画像データを入出力可能な構成となっている。図６には特に明示していないが、画像処理部（ＩＰＵ）には、読み取りユニット１０６から入力される画像データ以外にもＩ／Ｏポート５１４やＳＣＳＩドライバ５１５を介して外部から供給される画像データ、例えば、パーソナルコンピュータ等のデータ処理装置から入力したデータも処理できるよう、複数のデータの入出力の選択を行う機能を有しているものとする。
【００４５】
また、画像処理部は、画像メモリコントローラ５１０等への各種情報（指令）の設定や、読み取りユニット１０６及び書き込みユニット１１７の制御を行うためのＣＰＵ５１１と、ＣＰＵ５１１のプログラムやデータを格納したＲＯＭ５１２及びＲＡＭ５１３とを備えている。更にＣＰＵ５１１は、メモリコントローラ５１０を介して、画像メモリ５０１のデータの書き込み或いは読み出しが行える構成である。
【００４６】
次に、図７を参照して、セレクタ５０２における１ページ分の画像データについて詳細に説明する。図７は、１ページ分の画像データのタイミングチャートである。フレームゲート信号（以下、／ＦＧＡＴＥと略記す）は、１ページの画像データの副走査方向の有効期間を表している。主走査同期信号（以下、／ＬＳＹＮＣと略記す）は１ライン毎であり、／ＬＳＹＮＣが立ち上がった後の所定クロックで画像データが有効となる。
【００４７】
主走査方向の画像データが有効であることを示す信号が、ラインゲート信号（以下、／ＬＧＡＴＥと略記す）である。これら／ＦＧＡＴＥ、／ＬＳＹＮＣ及び／ＬＧＡＴＥは、画素同期信号（以下、ＶＣＬＫと略記す）に同期しており、ＶＣＬＫの１周期に対し１画素のデータが送られてくる。
【００４８】
尚、詳細な説明は省略するが、ＩＰＵ４０２は、画像入力、画像出力のそれぞれに対して別個の／ＦＧＡＴＥ、／ＬＳＹＮＣ、／ＬＧＡＴＥ及びＶＣＬＫの発生機構を有しており、読み取った原稿画像（画像データ）の直接出力を行う場合等の位相調整等を行うことにより、様々な画像入出力の組み合わせが実現可能な構成である。
【００４９】
次に、図５及び図８を参照して、メモリコントローラ５１０及び画像メモリ５０１について詳細に説明する。図８は、メモリコントローラ５１０及び画像メモリ５０１の詳細な構成を示した図である。メモリコントローラ５１０は、入力データセレクタ７０１、画像合成部７０２、１次圧縮／伸長部７０３、出力データセレクタ７０４、２次圧縮／伸長部７０５を有している。上記各部への制御データの設定は、ＣＰＵ５１１によって行われる。尚、図６に示したアドレス、データは画像データのアドレス及びデータを示しており、ＣＰＵ５１１に接続される制御データのデータ、アドレスは省略してある。
【００５０】
画像メモリ５０１は、１次記憶装置７０６及び２次記憶装置７０７から構成される。１次記憶装置７０６は、入力した画像データの転送速度に略同期して画像メモリ５０１への書き込み、または、画像出力時の画像メモリ５０１からの読み出しが高速に行えるように、例えば、ＤＲＡＭ等の高速アクセスが可能なものを使用する。また、１次記憶装置７０６は、処理を行う画像データの大きさにより複数のエリアに分割して画像データの入出力を同時に実行可能な構成（図示を省略するが、メモリコントローラ５１０とのインターフェース部）を採っている。
【００５１】
各分割したエリアに画像データの入力、出力をそれぞれ並列に実行可能とするためにメモリコントローラ５１０とのインターフェースにリード用とライト用の二組のアドレス・データ線で接続されている。これによりエリア１に画像を入力（ライト）する間にエリア２より画像を出力（リード）するという動作が可能になる。
【００５２】
２次記憶装置７０７は、入力された画像の合成、ソーティングを行うためのデータを保存しておく大容量のメモリである。１次記憶装置７０６及び２次記憶装置７０７共に高速アクセス可能な素子を使用すれば、１次記憶装置７０６、２次記憶装置７０７の区別なくデータの処理が行え、且つ、メモリコントローラ５１０の制御も比較的簡単になるが、ＤＲＡＭ等の素子は高価であるため、１次記憶装置７０６のアクセス速度を高速として、入出力データの処理を行う構成にしている。尚、１次記憶装置７０６と同様に２次記憶装置７０７にもＤＲＡＭ等の高速素子を使用しても良いことは勿論である。
【００５３】
上述のように画像メモリ５０１を１次記憶装置７０６及び２次記憶装置７０７で構成することにより、大量の画像データの入出力、保存、加工等の処理が可能な画像形成装置を安価、且つ、比較的簡単な構成で実現することが可能になる。尚、集約コピー機能のおける集約画像は、１次記憶装置７０６上に複数の原稿画像を１枚の転写紙へ書き込む形式に並べて保存されている。
【００５４】
次に、メモリコントローラ５１０の動作の概略を説明する。まず、画像入力（画像メモリ５０１への保存）について説明する。
【００５５】
入力データセレクタ７０１は、複数のデータの内から、画像メモリ（１次記憶装置７０６）への書き込みを行う画像データの選択を行う。入力データセレクタ７０１によって選択された画像データは、画像合成部７０２に供給され、画像合成部７０２で既に画像メモリ５０１に保存されているデータと合成される。画像合成部７０２によって処理された画像データは、１次圧縮／伸長部７０３によりデータ圧縮を施され、圧縮後のデータが１次記憶装置７０６に書き込まれる。１次記憶装置７０６に書き込まれたデータは、必要に応じて２次圧縮／伸長部７０５で更に圧縮を行った後に、２次記憶装置７０７に保存される。
【００５６】
次に、画像出力（画像メモリ５０１からの画像データの読み出し）について説明する。まず、画像出力時は、１次記憶装置７０６に記憶されている画像データの読み出しを行う。出力対象となる画像が１次記憶装置７０６に格納されている場合にも、１次圧縮／伸長部７０３で１次記憶装置７０６の画像データの伸長を行い、伸長後のデータ、或いは、伸長後のデータと入力データとの画像合成を行った後のデータを出力データセレクタ７０４で選択し、出力する。
【００５７】
画像合成部７０２は、１次記憶装置７０６のデータと、入力データとの合成（画像データの位相調整機能を有する）、合成後のデータの出力先の選択（画像出力、１次記憶装置７０６へのライトバック、両方の出力先への同時出力も可能）等の処理を行う。
【００５８】
出力対象となる画像が１次記憶装置７０６に格納されていない場合には、２次記憶装置７０７に格納されている出力対象画像データを２次圧縮／伸長部７０５で伸長を行い、伸長後のデータを１次記憶装置７０６に書き込んでから、以下、上述の画像出力動作を行う。
【００５９】
［コピーネットワークシステムの構成］
図９は、本実施の形態に係るデジタル複写機を複数台接続したコピーネットワークシステムを示している（尚、コピーネットワークを構成するデジタル複写機を「ネットワークコピー機」と称する）。図９に示すように、複数台のデジタルコピー機がネットワークインターフェースを介して互いに接続されている。同図では、８台のデジタル複写機をネットワーク化した例をしているが、接続するデジタル複写機の台数はこれに限定されるものではなく、何台を接続する構成としても良い。
【００６０】
［ネットワークコピー機のハード構成］
図１０は、上記ネットワークコピー機のハード構成を示す図であり、特に、２台のネットワークコピー機（「デジタルＰＰＣ−Ｉ」と「デジタルＰＰＣ−ＩＩ」）を接続した例を示している。同図に示すように１台のデジタル複写機のハード構成は、図４のハード構成例１とほぼ同様な構成であるが、さらに、読み取った画像を外部のネットワーク上に転送、或いは、ネットワーク上からの画像データをメモリユニット内のＤＲＡＭブロック部に保存するために、ネットワーク手段としてＳＣＳＩ（Ｓｍａｌｌ  Ｃｏｍｐｕｔｅｒ  Ｓｙｓｔｅｍ  Ｉｎｔｅｒｆａｃｅ）及びＳＣＳＩコントローラを備えている。
【００６１】
ネットワーク通信手段には、例えば、イーサネットを物理手段として用い、データ通信にＯＳＩ（Ｏｐｅｎ  Ｓｙｓｔｅｍ  Ｉｎｔｅｒｆａｃｅ）参照モデルのＴＣＰ／ＩＰ通信を用いるなど、種々の手段が考えられる。また、同図のような構成を用いることにより、上述のように画像データの転送はもちろんのこと、ネットワーク上に存在する各機械の機内状態通知や後述するリモート出力コマンドのような制御コマンド、設定コマンドの転送も行っている。
【００６２】
次に「デジタルＰＰＣ−Ｉ」で読みとった画像を「デジタルＰＰＣ−ＩＩ」の画像書き込み部に転送する動作（以下、「リモート出力」と称する）を図１０及び図１１を参照して説明する。図１１は、「デジタルＰＰＣ−Ｉ」と「デジタルＰＰＣ−ＩＩ」のソフトウェアの概念図を示している。
【００６３】
図１１において、「コピーアプリ」は複写動作を実行するためのコピーシーケンスを実行するアプリケーション、「入出力制御」はデータを論理／物理変換するレイア（デバイスドライバー）、操作部コントローラは、ＭＭＩ（Ｍａｎ  Ｍａｃｈｉｎｅ  Ｉｎｔｅｒｆａｃｅ）を実行するレイア（ＬＣＤ表示やＬＥＤ点灯／消灯、キー入力スキャン等を論理レベルで行うレイア）、「周辺機コントローラ」は自動両面ユニット、ソータや、ＡＤＦなどのＰＰＣに装着される周辺機のコントロールを論理レベルで実行するレイアを示し、「画像形成部コントローラ」、「画像読みとり装置コントローラ」、「メモリユニット」は前述の如くである。
【００６４】
また、「デーモンプロセス」はネットワーク上にある他の機械からプリント要求が依頼された場合に、メモリユニット内に保存されている画像データ読み出し、「画像形成部」に画像データを転送する役目を行うアプリケーションとして存在している。当然のことながら、「デーモンプロセス」がメモリユニットから画像を読み出し、プリント動作を実行する前に、ネットワーク上の他の機械からの画像転送は終了しておかなければならない。
【００６５】
また、操作部、周辺機、画像形成部、画像読みとり装置、メモリユニットはそれぞれのＰＰＣが保有するリソース（資源）として扱われる。同図の「デジタルＰＰＣ−Ｉ」が自身の各リソースを使用して複写動作を実行する場合（プリントスタートキ−押下時）には、「システムコントローラ」に対して、「画像形成装置」、「画像読みとり装置」、或いは、必要に応じて、「周辺機」、「メモリユニット」の各リソースを「システム制御」部に要求する。
【００６６】
「システム制御」部は、「コピーアプリ」からの要求に対して、リソースの使用権の調停を行い、「コピーアプリ」にその調停結果（使用可否）を通知する。「デジタルＰＰＣ−Ｉ」がスタンドアローンで使用される場合（ネットワーク接続されない状態）では、システムが保有するリソースは全て「コピーアプリ」が占有可能状態であるため、即時に複写動作が実行される。一方、本実施の形態の如く、ネットワーク上に存在する別の機械（以下、遠隔デジタルＰＰＣ）のリソースを使用してプリント動作を実行する遠隔デジタルＰＰＣの「システムコントローラ」に対してリソースの使用権を要求する。
【００６７】
遠隔デジタルＰＰＣのシステムコントローラは、要求に従ってリソースの調停を行い、その結果を要求元の機械のアプリケーションに通知する。アプリケーションは使用権が許可された場合は、画像の読みとりを実行し、自身のメモリユニット内への画像記憶が終了すると、外部インターフェース（本実施例ではＳＣＳＩ）を介して、リモート出力先の機械のメモリユニットに画像転送を行う。画像転送が終了すると、リモート出力先の機械の「デーモンプロセス」に対してプリント実行するための各条件（給紙口、排紙口、プリント枚数など）を送信した後に、「プリント開始」コマンドを送信する。リモート出力先の「デーモンプロセス」は「プリント開始」コマンドを受信すると、自身（リモート出力を実行する機械）の「システムコントローラ」に対してプリント開始を要求し、リモート出力がシステムコントローラによって実行される。
【００６８】
「デジタルＰＰＣ−Ｉ」によって「デジタルＰＰＣ−ＩＩ」のメモリユニットが使用されている場合は、「デジタルＰＰＣ−ＩＩ」のメモリユニットは、「デジタルＰＰＣ−ＩＩ」（或いは、図９に示すような複数のデジタルＰＰＣがネットワーク上に接続される場合は「デジタルＰＰＣ−Ｉ」以外のデジタルＰＰＣ）のアプリケーションの使用は不可状態となる。
【００６９】
［用語の説明・定義］
次に、本明細書で使用する用語について説明する。
［画像読みとり装置（画像読みとり部）］：デジタルＰＰＣで用いられる「画像読みとり装置」としては、光源を原稿に照射し、その反射光を「固体作像素子＝ＣＣＤ」で電気信号に変換し、「必要な画像処理」を行う機能を持った装置が使用されている。ここで、「必要な画像処理」とは、量子化（ＣＣＤで電気信号に変換されたアナログデータを２値或いは多値データに変換する。）、シェーディング補正（原稿を照射する光源の照射ムラや、ＣＣＤの感度ばらつきを補正する）・ＭＴＦ補正（光学系によるボケを補正する。）・変倍処理（画像の読みとり密度を変化させ、読みとった画像データを用いてデータ補間する等の処理を示す。）等をいう。
【００７０】
［画像形成部］：デジタルＰＰＣで用いられる［画像形成部」は、電気信号で送られた画像イメージを電子写真、感熱、熱転写、インクジェット等の手段により普通紙、感熱紙などに形成する装置である。
【００７１】
［ビデオ信号］、［画像データ］：前述の「画像読みとり装置」で変換された画像の電気信号、「画像形成部」へ入力される画像の電気信号、及び、画像の電気信号と同期をとるための信号をまとめて「ビデオ信号」或いは「画像データ」と表現する。
【００７２】
［制御信号］、［コマンド］：「ビデオ信号」を「画像読みとり装置」、「画像形成部」、「アプリケーション」間でやりとりするためには、装置間で情報を伝達し合う必要がある。この手段を「制御信号」または「コマンド」発行と表現する。
【００７３】
［拡張機能］、［アプリケーション（アプリと略す）］、［メモリ機能］、［メモリユニット］：デジタルＰＰＣの大きな特徴に、画像を電気信号に変換して読み込み、電気信号を画像形成装置で復元する。このとき読みとった電気信号を様々に変化、伝達する手段を持つことによって、従来のアナログＰＰＣ以外の分野に応用可能となる。ＦＡＸ、ページプリンター、スキャナ、ファイルシステムなどの機能を実現できるほか、最近では、ＰＰＣ機能の実行時におても、読みとった画像データを一旦、ＤＲＡＭなどの記憶装置に記憶させ、必要に応じて画像データを読み出すことによって、複数の複写時には１スキャンで複数プリントを実行したり、或いは、複数の原稿を１枚の転写紙にプリントする機能（＝以下メモリ機能）等も実現されている。これらのデジタルＰＰＣシステムならでは実現できる機能を「拡張機能」或いは「アプリ」と表現する。尚、本発明においては、メモリユニットはネットワーク上にある機械間の画像データ転送時の緩衝手段としても利用している。
【００７４】
［システムコントローラ］、「システム］：複写モードを実行する上で、画像書き込み部で画像形成するために、紙搬送処理、電子写真プロセス処理、異常状態や給紙カセット状態（紙の有無など）等の機内監視、及び、画像読みとり部で画像を読みとるために、スキャナ動作や光源のＯＮ／ＯＦＦなどを制御するコントローラを総称して「システムコントローラ」と表現する。更に、最近のデジタルＰＰＣでは拡張機能を１つ搭載するのみではなく複数アプリを同時搭載するようになってきた。このように、１つの資源を共有するデジタルＰＰＣを「システム」と表現し、このシステムを制御するコントローラを「システムコントローラ」と表現する場合もある。
【００７５】
［資源］、［リソース］：複数のアプリから共有される機能ユニット単位を「資源」、「リソース」と表現する。前述の「システムコントローラ」は、このリソース単位でシステム制御を行っている。本件のデジタルＰＰＣで管理している資源は「画像読みとり装置」、「画像形成部」、「操作部」、「メモリ」、「周辺機（＝ＡＤＦ、ソーター、自動両面ユニットなど）」などがある。
【００７６】
［利用者制限］：特に電子写真プロセスを使用しているＰＰＣは、消費量が多いため、無制限に使用を許可したくない場合がある。このとき、「利用者」を特定、限定、管理するために、「コインラック」、「キーカウンター」、「キーカード」、「プリペードカード」、等の「利用者制限機器」や「暗証コード」等を使用する。
【００７７】
［ユーザ設定］：システムが複雑になると、ユーザ毎の個別対応が必要となる。工場出荷時にこれらの対応を全て満足することは不可能であるため、市場での対応が不可欠となる。従って、通常は、不揮発ＲＡＭを装備し客の要求に応じたシステム設定を可能としているが、この機能を「ユーザ設定」と表現する。
【００７８】
［アイドル状態］：ユーザーよる操作が行われていない状態が一定期間継続した状態を「アイドル状態」、それ以外の状態を「ビジー状態」と表現する。「ビジー状態」から「アイドル状態」に遷移するまでの時間はユーザー設定可能である。例えば、複写動作中はもちろん、複写動作が終了しても一定期間、ユーザーによる無操作状態が継続しないと「アイドル状態」には遷移しない。
【００７９】
［ウィークリータイマー］：各曜日ごとに設定されたＯＮ／ＯＦＦ時間にあわせ電源をＯＮ／ＯＦＦする機能。
【００８０】
［予熱］：定着温度を一定温度（たとえば１０℃）下げて制御し、操作部表示を消すことにより、消費電力を節約するモードである。このモードの設定は、操作部でのキー入力や、機械設定によっては動作および操作が無くなってから一定時間後に自動的に設定される。このモードの解除は、操作部でのキー入力や、機械設定によって人体検知センサにより機械の前に人が立ったことを検出したときに解除される。
【００８１】
［リロード］：定着温度が定着可能温度に到達しコピーが可能である状態をリロードという。
【００８２】
［割り込みモード］：コピー動作実行中および操作中において一時的にコピー作業を割り込んでコピーするときのモードである。このモードを設定することによりその前のコピーモード、およびコピー途中であればその途中経過情報を不揮発ＲＡＭに記憶し、割り込みモードに移行し、モードを初期化する。コピー動作実行後、割り込みモード解除すると、不揮発ＲＡＭに記憶したモードおよび情報を戻して割り込みモード設定前の状態を復帰させ、再スタートにて、割り込み前のモードを継続する事ができる。このモードの設定／解除は操作部２０１のキーにて行うことができる。
【００８３】
［予約モード］：複数のコピーアプリを起動させ、システムコントローラによりリソース管理を行う。あるコピーアプリが画像形成動作中にあり、操作部や画像読み取り装置が開放されていれば、別のコピーアプリに使用を許可し、設定の操作や原稿の読み取りを行う（図１２参照）。図１３〜図２２は操作部２０１の液晶タッチパネル２０５の表示例を示す図である。図１３はコピー動作中の操作画面を示している。この画面で「予約」キーａが押下されれば、図１５に示す予約コピーの操作画面が表示され、予約コピーモードの設定が可能になる。この図１５に示す予約コピーの操作画面で「登録」キーｂが押下されれば、予約コピーモードになり、図１６に示すコピー中画面が表示される。他方、図１５に示す予約コピー画面で、「解除」キーｃが押下されれば、予約コピーモードは解除され、図１３に示す操作画面に移行する。また、図１６に示すコピー中画面で、「予約中画面へ」キーｄがを押下されれば、図１７に示す予約コピーの設定画面が表示される。この図１７に示す予約コピーの設定画面で、「コピー画面へ」キーｅが押下されれば、図１６に示すコピー動作画面に戻る。
【００８４】
［ＣＳＳ］（或いは［遠隔診断システム］、［画像形成装置管理システム］）：図２３は、画像形成装置管理システムの構成を示している。サービス拠点に設置されている管理装置１００３とユーザの元に設置されているＰＰＣ１０００等の機器とを公衆回線網１００２を介して接続している。ユーザ側には管理装置１００３との通信を制御するための通信コントロール装置１００１が設置されており、ユーザ元のＰＰＣ１０００はこの通信コントロール装置１００１に接続されている。通信コントロール装置１００１には、電話機やファクシミリが接続可能になっており、ユーザの既存の回線に挿入する形で設置が可能になっている。通信コントロール装置１００１には、複数のＰＰＣが接続可能になっているが、勿論単数の場合もある。
【００８５】
これらのＰＰＣは同型のものである必要はなく異なる機種でもかまわず、ＰＰＣ以外の機器でもかまわない。ここでは説明の便宜上、１台の通信コントロール装置には最大５台のＰＰＣが接続可能であるとする。通信コントロール装置と複数のＰＰＣはＲＳ−４８５規格によりマルチドロップ接続されている。通信コントロール装置と各ＰＰＣ間の通信制御は基本型データ伝送制御手順により行われる。通信コントロール装置を制御局としたセントラライズド制御のポーリング／セレクティング方式でデータリンクの確立を行うことにより、任意のＰＰＣとの通信が可能になっている。各ＰＰＣはアドレス設定スイッチによって固有の値を設定できるようになっており、これによって各ＰＰＣのポーリングアドレス、セレクティングアドレスが決定される。
【００８６】
［予約コピー］は、上記図１２に示したように、複数のコピーアプリを起動させ、それぞれが独立した動作をするものとする。共有資源である、操作部、周辺機、画像書き込み部（画像形成手段）、画像読み取り装置、メモリはシステムコントローラにより調停される。複数のコピーアプリは、操作部が提供する仮想画面にそれぞれの操作画面情報を書き込むことが可能である。操作部はシステムコントローラから指示される操作部オーナーアプリの仮想画面の画面情報を実画面に展開する。
【００８７】
［動作予約］：動作予約の段階では、複写機において定着の加熱中等の時はコピー動作が開始できないが、モード設定及び原稿のセットを終了させ予約することにより、定着加熱終了後、コピー動作可になった時点で自動的にコピー動作を開始する機能のことである。この実施例では、定着加熱中を動作予約可能対象としているが、これ以外にも時間の経過と共に動作可能になるものについては、対象になる資格がある。ＬＣＴトレイ上昇時間、ポリゴンモータ回転安定時間、トナー補給動作中等考えられる。
【００８８】
［動作例］
次に、上記画像形成装置の操作部の画面制御の動作例を図１３〜図２２に示す操作部２０１のタッチパネル２０５の操作画面の表示例及び図２４〜図２８のフローチャートを参照して説明する。図１３はコピー中画面、図１４は連結コピー中画面、図１５は予約コピー画面、図１６はコピー中画面、図１７は予約中画面、図１８は予約中画面、図１９は予約コピー中画面（警告表示）、図２０は予約中画面、図２１は予約コピー画面（警告表示）、図２２は予約コピー画面（警告表示）を示す。図２４は動作例１を説明するためのフローチャート、図２５及び図２６は動作例２を説明するためのフローチャート、図２７及び図２８は動作例３を説明するためのフローチャートである。
【００８９】
（動作例１）
上記画像形成装置の操作部２０５の画面制御の動作例１を図１３〜図２２の表示例及び図２４のフローチャートを参照して説明する。
【００９０】
まず、動作例１における操作部２０１の液晶タッチパネル２０５の表示の遷移を図１３〜図１９を参照して説明する。図１３は、コピー動作中の画面を示している。この状態では動作中のコピーの設定状態を示すが、操作部の操作許可を限定し、余分な操作が行われないようにする。
【００９１】
この図１３に示すコピー動作中の操作画面において、［予約］キーａが押下されると、図１５に示す予約コピー画面に遷移する。ここで、操作部２０１、画像読み込み部の動作を許可し、予約コピーの設定操作および原稿読み込みを行えるようにする。この図１５に示す予約コピー画面で、［解除］キーｃが押下されると図１３に示すコピー動作中の画面に戻る。
【００９２】
他方、図１５に示す予約コピー画面で［登録］キーｂが押下されると、読み取り部が、原稿読み込み動作を行い、原稿読み込み動作が終了すると、「予約」コピーが登録され、図１７に示す予約中画面が表示される。この予約中画面で［コピー中画面への移行］キーｅが押下されると、図１６に示すコピー中画面に遷移する。
【００９３】
他方、図１７の予約中画面で［取消］キーｆが押下されると、予約コピーが取り消され、図１３に示すコピー動作中画面に戻る。また、図１６に示すコピー中画面で［予約中画面への移行］キーｄが押下されると、図１７に示す予約中画面に遷移する。
【００９４】
図１８に示す予約コピー画面において、設定が指示されると、システムコントローラ４０１に対してリソース（この場合は両面やステープル）の獲得依頼を通知する。リソースが獲得できる場合は、システムコントローラ４０１からリソース獲得通知が来るので、予約コピーの設定を確定する。
【００９５】
すでにリソースが他の機能により獲得されている場合は、システムコントローラ４０１からリソース獲得失敗の通知が行われる。予約コピーはリソース獲得できずの通知により、図１９に示す警告画面として、例えば、「他の機能でステープルを使用中のためコピーできません」を表示すると共に、［継続］キーｇと［確認］キーｈを表示し、両者を選択できるようにする。
【００９６】
ここで、［確認］キーｇが押下されると、リソースの獲得できなかった設定を解除し、図１５に示す予約コピー画面に戻る。他方、［継続］キーｇが押下されると、画像読み取り部による原稿読み込み動作を行う。そして、原稿読み込み動作が終了すると、予約コピーが登録され、図２０に示す予約中画面に移行する。
【００９７】
登録された予約コピーは使用されているリソースの獲得依頼通知をある一定時間おきにシステムコントローラ４０１に通知することにより、リソースが開放されるのを監視し、使用可能になった時点で予約コピーの画像形成動作を行う。
【００９８】
つぎに、画像形成装置での画面制御の手順を図２４のフローチャートを参照して説明する。図２４において、まず、画像形成装置では、予約コピー状態（図１８参照）であるか否かを判断する（ステップＳ１）。この判断の結果、予約コピー状態でなければ、このフローを終了する一方、予約コピー状態であれば、設定操作処理を行う（ステップＳ２）。続いて、設定内容がリソース獲得必要であるか否かを判断する（ステップＳ３）。この判断の結果、設定内容がリソース獲得が必要であれば、リソース獲得依頼をシステムコントローラ４０１に通知する（ステップＳ４）。そして、システムコントローラ４０１からのリソース獲得状況の通知待ちとなる（ステップＳ５）。
【００９９】
システムコントローラ４０１からの通知があれば、リソース獲得が成功したか否かを判断する（ステップＳ６）。リソース獲得に失敗した場合には、警告画面（図１９参照）を表示する（ステップＳ７）。ついで、この警告画面において、継続キーが押されたか否かを判断する（ステップＳ８）。この判断の結果、継続キーが押下された場合には、原稿読み取り動作を行う（ステップＳ９）。そして、システムコントローラ４０１に対して、リソース獲得依頼を通知する（ステップＳ１０）。そして、システムコントローラ４０１からのリソース獲得状況の通知待ちとなる（ステップＳ１１）。そして、通知があると、リソースの獲得ができたか否かを判断し（ステップＳ１２）、リソースの獲得ができた場合には画像形成動作を行い当該フローを終了する。他方、ステップＳ１２において、リソースの獲得ができない場合には、待ち時間処理を行い（ステップＳ１３）、ある一定時間後、ステップＳ１０に戻り、再度システムコントローラ４０１に対して、リソース獲得依頼を通知する。
【０１００】
他方、ステップＳ８において、警告画面で、継続キーが押下されない場合には、ステップＳ１４に移行して、確認キーが押下されたか否かを判断する。
確認キーが押下されれば、指示された設定を解除し（ステップＳ１５）、ステップＳ２の設定操作処理（図１５参照）に戻る。また、ステップＳ１４において、確認キーが押下されいない場合には、ステップＳ８に移行する。
【０１０１】
さて、ステップＳ３において、設定操作処理でリソース獲得不要な場合や、ステップＳ６において、リソースが獲得できた場合には、設定された内容を確定させる（ステップＳ１７）。つづいて、登録キーが押下された否かの判断を行い（ステップＳ１８）、押下された場合には、予約コピーの登録処理を行い（ステップＳ１９）、当該フローを終了する。
【０１０２】
以上説明したように、上記動作例１においては、第２のジョブの設定が第１のジョブで使用されている機能（両面、ステープラー）を指示した際に、設定を解除して操作画面に戻るか、原稿読み取り動作を行い、機能が使用可能になるまで待機状態にするかを選択可能な構成としたので、オペレータの操作性を向上させることが可能となる。尚、本動作例１は、画像形成装置をスタンドアロンで使用する場合は勿論のこと、図９に示したようにネットワークシステムを構成して、他の画像形成装置に画像を転送して画像形成（印刷）させる場合についても適用可能である。
【０１０３】
（動作例２）
上記画像形成装置の操作部の画面制御の動作例２を図１３〜図２１の表示例及び図２４及び図２５のフローチャートを参照して説明する。
【０１０４】
まず、動作例２における操作部の表示の遷移を図１３〜図２２を参照して説明する。図１３は、コピー動作中の画面を示している。この状態では、動作中のコピーの設定状態を示すが、操作部２０１の操作許可を限定し、余分な操作が行われないようにする。
【０１０５】
この図１３に示すコピー動作中の画面で、「予約」キーａが押下されると、図１５に示す予約コピー画面に遷移する。ここで、操作部２０１、画像読み込み部の動作を許可し、予約コピーの設定操作および原稿読み込みを行えるようにする。
【０１０６】
この図１５に示す予約コピー画面で、「解除」キーｃが押下されると図１３で示したコピー動作中の画面に戻る。他方、図１５に示す予約コピー画面で「登録」キーｂが押下されると原稿読み込み動作を行う。原稿読み込み動作が終了すると、予約コピーが登録され、図１７に示す予約中画面に移行する。
【０１０７】
この図１７に示す予約中画面で「コピー中画面へ」の移行キーｅが押下されると、図１５に示すコピー中画面に遷移する。他方、図１７に示す予約中画面で「取消」キーｆが押下されると、予約コピーが取り消され、図１３に示すコピー動作中画面に遷移する。また、図１６に示すコピー中画面で「予約中画面へ」の移行キーｄが押下されると、図１７に示す予約中画面に遷移する。
【０１０８】
動作中のコピーが中断される要因（例えば、紙なし、ステープル針なし）が発生した場合には、動作中のコピーはシステムコントローラ４０１に対してジョブ中断の通知を行う。システムコントローラ４０１では、操作部オーナーが予約コピーであれば、予約コピーに対してジョブ中断の通知を行う。予約コピーでは、システムコントローラ４０１からジョブ中断が通知されると、図２１に示すような予約コピー画面及び予約中画面（図示せず）で表示切り替えを指示する表示を行う。図２１に示す例では、「コピー中エラーです。画面を切り替えて下さい。」が表示される。
【０１０９】
つぎに、画像形成装置での操作部の画面制御の手順を図２５及び図２６のフローチャートを参照して説明する。図２５は、動作中コピー状態でジョブ（第１のジョブ）が中断した際に警告を行う場合を特に示している。
【０１１０】
図２５において、まず、画像形成装置では、動作中コピー状態であるか否かを判断する（ステップＳ２１）。この判断に結果、動作中コピー状態でなければ、このフローを終了する。他方、動作中コピー状態であれば、給紙動作中のトレイが紙無しか否かを判断する（ステップＳ２２）。この判断の結果、動作中のトレイが紙無しでなければ、ステップＳ２３に移行して、ステープルモードの設定がされているか否かの判断を行う。この判断の結果、ステープルモードの設定がされていなければ、当該フローを終了する。他方、ステープルモードの設定がされていれば、ステープル針無しであるか否かを判断する（ステップＳ２４）。ステープル針無しでなければ、このフローを終了する。
【０１１１】
一方、ステップＳ２２において給紙動作中のトレイが紙無しの場合、または、ステップＳ２４においてステープル針無しの場合には、ステップＳ２５に移行して、システムコントローラ４０１に対してジョブ中断通知を行う（ステップＳ２５）。そして、紙無しまたはステープル針無しの警告画面表示を行って、操作者に画面を切り替える旨を報知し（ステップＳ２６）、このフローを終了する。
【０１１２】
図２６は、予約コピー状態でジョブ（第１のジョブ）が中断した際に警告を行う場合を特に示している。図２６において、まず、画像形成装置では、予約コピー状態（図２０参照）であるか否かを判断する（ステップＳ３０）。この判断の結果、予約コピー状態でなければ、このフローを終了する。他方、予約コピー状態であれば、システムコントローラ４０１からのジョブ中断通知があったか否かを判断する（ステップＳ３１）。この判断の結果、システムコントローラ４０１からのジョブ中断通知があれば、画面を切り替える旨の警告表示（図２１参照）を行う（ステップＳ３２）。他方、システムコントローラ４０１からのジョブ中断通知がなければ、設定操作処理を行い（ステップＳ３３）、このフローを終了する。
【０１１３】
以上説明したように、上記動作例２においては、第２のジョブの操作画面に切り替えられている際に、第１のジョブの動作を中断させる要因（紙なし、ステープルなし）が発生した場合、第２のジョブの操作画面上に第１のジョブの操作画面に切り替える旨を表示することにより、第１のジョブが中断されたままにならないようにしたので、ジョブの円滑な実行を促進させることが可能である。尚、本動作例は、画像形成装置をスタンドアロンで使用する場合は勿論のこと、図９に示したようにネットワークシステムを構成して、他の画像形成装置に画像を転送して画像形成（印刷）させる場合についても適用可能である。
【０１１４】
（動作例３）
上記画像形成装置の操作部の画面制御の動作例３を図１３〜図２２の表示例及び図２７及び図２８のフローチャートを参照して説明する。
【０１１５】
まず、動作例３における操作部の表示の遷移を図１３〜図２２を参照して説明する。図１３は、コピー動作中の画面を示している。この状態では動作中のコピーの設定状態を示すが、操作部の操作許可を限定し、余分な操作が行われないようにする。
【０１１６】
この図１３に示すコピー動作中画面で、「予約」キーａの押下により、図１５に示す予約コピー画面に遷移する。ここで、操作部２０１、画像読み込み部の動作を許可し、予約コピーの設定操作および原稿読み込みを行えるようにする。図１５に示す予約コピー画面で「解除」キーｃが押下されると図１３に示すコピー動作中の画面に遷移する。
【０１１７】
また、図１５に示す予約コピー画面で「登録」キーｂが押下されると、原稿読み込み動作を行う。原稿読み込み動作が終了すると、予約コピーが登録され、図１７に示す予約中画面に移行する。この予約中画面で「コピー中画面へ」の移行キーｅが押下されると、図１６に示すコピー中画面に遷移する。他方、予約中画面で「取消」キーｆが押下されると、予約コピーが取り消され、図１３に示すコピー動作中画面に遷移する。
【０１１８】
図１６に示すコピー中画面で「予約中画面へ」の移行キーｄが押下されると、図１７に示す予約中画面に遷移する。動作中のコピーが中断される要因（紙なし、ステープル針なし）が発生した場合、動作中のコピーはシステムコントローラに対してジョブ中断及びその理由の通知を行う。システムコントローラでは、操作部オーナーが予約コピーであれば、予約コピーに対してジョブ中断の通知を行う。予約コピーでは、システムコントローラからジョブ中断が通知されると、図２２に示すような予約コピー画面及び予約中画面（図示せず）でコピー中断要因の解除を指示する表示を行う。図２２に示す例では、”ステープル補給  ステープラーの針がもうすぐなくなります。ステープラーの針を補給して下さい。”という中断要因が表示されている。
【０１１９】
つぎに、画像形成装置での操作部２０１の画面制御の手順を図２７及び図２８のフローチャートを参照して説明する。図２７は、動作中コピー状態でジョブ（第１のジョブ）が中断する要因が発生した場合に警告を行う場合を特に示している。
【０１２０】
図２７において、まず、画像形成装置では、動作中コピー状態であるか否かを判断する（ステップＳ４０）。この判断の結果、動作中コピー状態でなければ、このフローを終了する。他方、動作中コピー状態であれば、給紙動作中のトレイが紙無しか否かを判断する（ステップＳ４１）。この判断の結果、給紙動作中のトレイが紙無しでなければ、ステープルモードの設定がされているか否かを判断する（ステップＳ４２）。この判断の結果、ステープルモードの設定がされていなければ、このフローを終了する。また、ステープルモードの設定がされていれば、ステップＳ４３に移行して、ステープル針無しであるか否かを判断する。この判断の結果、ステープル針無しでなければ、このフローを終了する。
【０１２１】
一方、ステップＳ４１において給紙動作中のトレイが紙無しの場合、またはステップＳ４３において、ステープル針無しであれば、ステップＳ４４に移行して、システムコントローラ４０１に対してジョブ中断通知を行う。そして、紙無しまたはステープル針無しの警告画面表示を行い、操作者にジョブの中断要因を報知し（ステップＳ４５）、このフローを終了する。
【０１２２】
図２８は、予約コピー状態でジョブ（第１のジョブ）が中断する要因が発生した場合に警告を行う場合を特に示している。図２８において、まず、画像形成装置では、予約コピー状態（図１７参照）であるか否かを判断する（ステップＳ５０）。この判断の結果、予約コピー状態でなければ、この処理を終了する。他方、予約コピー状態であれば、システムコントローラ４０１からのジョブ中断通知があったか否かの判断を行う（ステップＳ５１）。この判断の結果、ジョブ中断通知がなければ、このフローを終了する。他方、システムコントローラ４０１からのジョブ中断通知があれば、警告画面表示（図２２参照）を行って、操作者にジョブの中断要因を報知する（ステップＳ５２）。
【０１２３】
つづいて、システムコントローラ４０１からのジョブ中断解除通知があったか否かを判断する（ステップＳ５３）。この判断の結果、ジョブ中断解除通知がなければ、待ち時間処理を行い（ステップＳ５４）、一定時間経過後に、ステップＳ５３に戻り、再度ジョブ中断解除通知の判断を行う。他方、システムコントローラ４０１からのジョブ中断解除通知があれば、警告画面表示解除を行い（ステップＳ５２）、このフローを終了する。
【０１２４】
以上説明したように、上記動作例３においては、第２のジョブの操作画面に切り替えられている際に、第１のジョブの動作を中断させる要因（紙なし、ステープルなし）が発生した場合、第２のジョブの操作画面上に第１のジョブの中断要因を表示することとしたので、第１のジョブが中断されたままにならないようにし、ジョブの円滑な実行を促進させることが可能である。尚、本動作例３は、画像形成装置をスタンドアロンで使用する場合は勿論のこと、図９に示したようにネットワークシステムを構成して、他の画像形成装置に画像を転送して画像形成（印刷）させる場合についても適用可能である。
【０１２５】
また、以上説明したように、予約コピーを複数の独立したコピーアプリを用いて実現し、仮想画面に画面情報を書き込むことにより、画面切り替え時の画面の反映もれや描画の遅れを抑制することが可能である。
【０１２６】
また、本発明は、上記実施の形態のみに限定されるものではなく、発明の要旨を変更しない範囲で適宜変形して実施可能である。
【０１２７】
【発明の効果】
請求項１に係る発明は、原稿の画像を読み取る読取手段と、読み取られた画像を記憶する記憶手段と、記憶された画像を出力する画像出力手段と、を備えた画像形成装置において、操作画面上でジョブを設定する設定手段と、設定手段で設定されたジョブを実行すべく、画像形成装置の動作を制御する制御手段と、を備え、設定手段は、画像形成装置が第１のジョブを実行中に第２のジョブの設定を受付け、当該第１のジョブと当該第２のジョブとで同一のリソースが設定された場合には、当該第２のジョブの設定を解除するか、若しくは当該第２のジョブの設定に基づく読取手段による原稿の読み取り開始動作のみを開始して、当該第２のジョブが実行可能となるまで待機するかを選択する選択手段を含むこととしたので、第２のジョブの設定が第１のジョブで使用されている機能（リソース）を指示した際に、設定を解除して操作画面に戻るか、原稿読み取り動作を行い、機能（リソース）が使用可能になるまで待機状態にするかを選択することが可能となり、オペレータの操作性が向上する。
【０１２８】
また、請求項２に係る発明は、原稿の画像を読み取る読取手段と、読み取られた画像を記憶する記憶手段と、記憶された画像を出力する画像出力手段と、を備え、各々が画像を出力する画像出力手段を備えた他の１又は複数の画像形成装置と伝送路を介して接続可能であり、かつ、読取手段で読み取った画像を自機の画像出力手段若しくは他の画像形成装置により出力可能な画像形成装置において、操作画面上でジョブを設定する設定手段と、設定手段で設定されたジョブを実行すべく、自機の画像形成装置の動作を制御するとともに、読取手段で読み取った画像を他の画像形成装置に転送して画像出力させる制御手段と、を備え、設定手段は、自機若しくは他の画像形成装置が第１のジョブを実行中に第２のジョブの設定を受付け、当該第１のジョブと当該第２のジョブとで同一のリソースが設定された場合には、当該第２のジョブの設定を解除するか、若しくは当該第２のジョブの設定に基づく読取手段による原稿の読み取り開始動作のみを開始して、当該第２のジョブが実行可能となるまで待機するかを選択する選択手段を含むこととしたので、自機若しくは他の画像形成装置で画像出力する際に、第２のジョブの設定が第１のジョブで使用されている機能を指示した際に、設定を解除して操作画面に戻るか、原稿読み取り動作を行い、機能が使用可能になるまで待機状態にするかを選択することが可能となり、オペレータの操作性が向上する。
【０１２９】
また、請求項３に係る発明は、請求項１又は２記載の画像形成装置において、前記リソースは、両面機能若しくはステープラー機能であることとしたので、両面機能やステープラー機能を使用する際に、オペレータの操作性が向上する。
【図面の簡単な説明】
【図１】この発明に係る画像形成装置の構成図である。
【図２】操作部の構成を示す説明図である。
【図３】操作部の液晶タッチパネルの表示画面例を示す説明図である。
【図４】図１に示した画像形成装置の制御系（構成例１）を示す図である。
【図５】図１に示した画像形成装置の制御系（構成例２）を示す図である。
【図６】図４の画像処理部を示した構成図である。
【図７】１ページ分の画像信号のタイミングチャートである。
【図８】図６に示したメモリコントローラ及び画像メモリの詳細な構成を示す説明図である。
【図９】コピーネットワークシステムを示す図である。
【図１０】ネットワークコピー機のハード構成を示す図である。
【図１１】ネットワークコピー機のソフトウエア概念図である。
【図１２】複数のコピーアプリを起動させた場合のソフトウエア概念図である。
【図１３】操作部の液晶タッチパネルの表示画面例（コピー中画面）を示す説明図である。
【図１４】操作部の液晶タッチパネルの表示画面例（連結コピー中画面）を示す説明図である。
【図１５】操作部の液晶タッチパネルの表示画面例（予約コピー画面）を示す説明図である。
【図１６】操作部の液晶タッチパネルの表示画面例（コピー中画面）を示す説明図である。
【図１７】操作部の液晶タッチパネルの表示画面例（予約中画面）を示す説明図である。
【図１８】操作部の液晶タッチパネルの表示画面例（予約コピー中画面）を示す説明図である。
【図１９】操作部の液晶タッチパネルの表示画面例（予約コピー画面）を示す説明図である。
【図２０】操作部の液晶タッチパネルの表示画面例（予約中画面）を示す説明図である。
【図２１】操作部の液晶タッチパネルの表示画面例（予約コピー画面）を示す説明図である。
【図２２】操作部の液晶タッチパネルの表示画面例（予約コピー画面）を示す説明図である。
【図２３】画像形成装置管理システムの構成を示す図である。
【図２４】画像形成装置の操作部の画面制御の動作例１を説明するためのフローチャートである。
【図２５】画像形成装置の操作部の画面制御の動作例２を説明するためのフローチャートである。
【図２６】画像形成装置の操作部の画面制御の動作例２を説明するためのフローチャートである。
【図２７】画像形成装置の操作部の画面制御の動作例３を説明するためのフローチャートである。
【図２８】画像形成装置の操作部の画面制御の動作例３を説明するためのフローチャートである。
【符号の説明】
１０１    自動原稿送り部（ＡＤＦ）
１０２    原稿台
１０３    給送ローラ
１０４    給送ベルト
１０５    コンタクトガラス
１０６    読み取りユニット
１０７    排送ローラ
１０８    原稿セット検知センサ
１０９    第１トレイ
１１０    第２トレイ
１１１    第３トレイ
１１２    第１給紙ユニット
１１３    第２給紙ユニット
１１４    第３給紙ユニット
１１５    縦搬送ユニット
１１７    書き込みユニット
１１８    現像ユニット
１２２    フィニシャ
１３４    両面給紙ユニット
２０１    操作部
２０２    プリントキー
２０３    クリア／ストップキー
２０４    テンキー
２０５    液晶タッチパネル
２０７    初期設定キー
２０８    モードクリアキー
２０９    割り込みキー
４０１    メインコントローラ
４０２    画像読み取り部
４０３    画像書き込み部
４０４    メモリユニット
４０５    利用者制限機
４０６    人体検知センサ
４０７    ＣＳＳ
４０８    時計
５０１    画像メモリ
５０２    セレクタ
５０６    第１印字合成部
５０７    第２印字合成部
５１０    メモリコントローラ
５１１    ＣＰＵ
５１２    ＲＯＭ
５１３    ＲＡＭ
５１４    Ｉ／Ｏポート
５１５    ＳＣＳＩドライバ
７０１    入力データセレクタ
７０２    画像合成部
７０３    １次圧縮／伸長部
７０４    出力データセレクタ
７０５    ２次圧縮／伸長部
７０６    １次記憶装置
７０７    ２次記憶装置
【図１】
0003550494.tif 000002
【図２】
0003550494.tif 000003
【図３】
0003550494.tif 000004
【図４】
0003550494.tif 000005
【図５】
0003550494.tif 000006
【図６】
0003550494.tif 000007
【図７】
0003550494.tif 000008
【図８】
0003550494.tif 000009
【図９】
0003550494.tif 000010
【図１０】
0003550494.tif 000011
【図１１】
0003550494.tif 000012
【図１２】
0003550494.tif 000013
【図１３】
0003550494.tif 000014
【図１４】
0003550494.tif 000015
【図１５】
0003550494.tif 000016
【図１６】
0003550494.tif 000017
【図１７】
0003550494.tif 000018
【図１８】
0003550494.tif 000019
【図１９】
0003550494.tif 000020
【図２０】
0003550494.tif 000021
【図２１】
0003550494.tif 000022
【図２２】
0003550494.tif 000023
【図２３】
0003550494.tif 000024
【図２４】
0003550494.tif 000025
【図２５】
0003550494.tif 000026
【図２６】
0003550494.tif 000027
【図２７】
0003550494.tif 000028
【図２８】
0003550494.tif 000029